(57)【特許請求の範囲】
【請求項１】
一対の内蓋（Ｃ3）と、一対の外蓋（Ｃ4）とを備える包装箱の封緘具であって、
当該封緘具は、前記一対の外蓋（Ｃ４）同士のみを連結するもので、略並行に配置された上押え（Ｄ1）と下押え（Ｄ3）、及び、前記上押え（Ｄ1）と前記下押え（Ｄ3）とを連結する支柱（Ｄ2）とから成り、
前記下押え（Ｄ3）に対し、前記上押え（Ｄ1）は前記支柱（Ｄ2）を軸にして回転可能に連結されており、
包装箱への装着時において、前記上押え（Ｄ1）が回転しても、前記下押え（Ｄ3）は連動しないよう、前記下押え（Ｄ3）に回転を阻止するための歯止めとなるストッパーを設けた、ことを特徴とする包装箱の封緘具。
【請求項２】
前記ストッパーが、前記一対の外蓋（Ｃ４）の合せ目に差し挟む形態の突起で成る請求項１記載の封緘具。
【請求項３】
前記支柱（Ｄ2）の一端は前記上押え（Ｄ1）と接続され、前記支柱（Ｄ2）の他端は前記下押え（Ｄ3）の下方に抜けるとともに、前記上押え（Ｄ1）と前記下押え（Ｄ3）との間隔を調整するバネ部材（Ｄ4）に接続した、ことを特徴とする請求項１または請求項２記載の封緘具。
【請求項４】
長さ側側面を見るかたちに於いて、前記上押え（Ｄ1）の長さ幅は、前記下押え（Ｄ3）の長さ幅よりも短い長さ幅で、前記一対の外蓋（Ｃ４）が下方に落ち込まないよう押えるには足りない長さ幅を成す、
前記一対の外蓋（Ｃ４）が下方に落ち込まないよう受け支える機能は、前記一対の内蓋（Ｃ３）の存在に依存する、ことを特徴とする請求項１または請求項２または請求項３記載の封緘具。
【発明の詳細な説明】
【技術分野】
【０００１】
本発明は、一対の内蓋と一対の外蓋とを有して成る段ボール箱等、包装箱の封緘具に関す。
本発明は、支柱を介して、下押えと上押えとが連結されて成る封緘具に関す。
【背景技術】
【０００２】
包装箱は、以下、段ボール箱を念頭にして説明する。
【０００３】
従来の封緘具、例えば、特許文献１のものは、その図２に見るように、下押えを円形にしている。下押えは、一対の外蓋の内側を渡し押える部材であるから、渡し押える方向に長手に延びるものであれば良い。つまり、横に長く延びるかたちを成すものであれば良いものであるが、円形にすれば３６０度の方向に延びるものになる。
従来の封緘具は、その図２に見るように、無駄を承知で下押えを円形にしているものである。
【０００４】
その理由は、上押えと下押えとが相対的に回転するかたちに連結したとしても、上押えを回転させたとき、上押えに連動して下押えも回転してしまう、あるいは、ずり動いてしまうことは免れない。即ち、上押えを回転させたとき、連動して下押えが回転しても、あるいは、ずり動いても支障が生じないかたちとして円形にしているというものである。
当然のこととして、不必要な部分、即ち、無駄な部分をもち、製品化する上でコストが不要に嵩んでしまう。
【０００５】
特許文献１（以下、従来の封緘具とも云う）の場合、無駄な部分を省くためのかたちとして、その図１６,１７に、下押えについて半円形のものを示し、上押えを回転させると同時に下押えも回転するよう、上押えと下押えが対向するかたちに固定する連結方法をとるものが示されている。
【０００６】
即ち、従来技術によれば、その図１６,１７に見るように、下押えを円形ではなく、半円形や長方形状のものにする場合、封緘する操作に於いて、下押えの長手方向を一対の外蓋の合せ目筋に交叉する方向に向けるために、上押えの回転とともに下押えも回転するよう、上押えと下押えが対向するかたちに固定する連結方法をとるものとしている。
【０００７】
上記の連結方法を取った場合、当然のこととして、上押えとともに下押えも回転させることになる。下押えは、一対の外蓋を内側から押える部材であるから、外蓋にしっかり押え付くものであり、操作には相応に強い力が求められる、即ち、操作しにくいものになる。また、操作する上で封緘具自体にも無理がかかるようになる。
更なる問題は、時として、下押えの縁が内蓋の縁に突っ掛かって開封できない事態が生じる。
即ち、上記の連結方法をとるならば、封緘具は操作性の悪いものになってしまう。
【先行技術文献】
【特許文献】
【０００８】
【特許文献１】特開平１１−５９６６３号
【発明の概要】
【発明が解決しようとする課題】
【０００９】
上記した、製品化する上でのコストが嵩む問題、あるいは操作性が悪くなる問題などを鑑みて、上押えを回転させても、下押えは回転しないよう対策することを課題とする。
【００１０】
尚、上記の主課題と合せて、次の２つの課題を解決することとする。
【００１１】
１つは、「外蓋の厚みに多少の違いがあっても、対応できるものにすること」である。
従来の封緘具は、下押えと上押えの間隔が固定した状態に連結されており、一定の厚みの外蓋をもつ段ボール箱には使用できるが、外蓋の厚みに違いがあれば使用できない、あるいは使用に適さない。
【００１２】
もう１つは、「荷扱いにも適うものにすること」である。
従来の封緘具は、上押えが大きく、その存在自体が邪魔になり、他の箱を上積みするときに突っ掛かり易い、あるいは引っ掛かり易い、また上積みした箱がグラついて安定しないなどの問題がある。
【課題を解決するための手段】
【００１３】
主課題の解決手段は、上押えと下押えは相対的に回転するかたちに連結するものとする。但し、外蓋に付け外しする操作に於いては、上押えを回転させても、下押えは回転しない、あるいは回転させないものにする、と云ものである。
その手段は、上押えの回転に連動して下押えが回転しないよう、下押えにストッパーとなる機能あるいは形態をもつものとした。
ストッパーとする１つの例として、下押えに、一対の外蓋の合せ目に差し挟む突起を設けるものとした。
【００１４】
「外蓋の厚みに多少の違いがあっても対応できるものにするための手段」としては、下押えと上押えの間に介在する部分の支柱の丈幅が調整されるバネ機能をもつものとした。
即ち、外蓋の厚みに多少の違いがあっても、調整されるバネ機能をもつものとした。
【００１５】
「荷扱いに適うものにするための手段」としては、上押えの大きさを出来るだけ小さなものにすることに着眼し、従来の封緘具がもつ機能のうち、一対の外蓋が下方に（箱の内側に）落ち込まないよう押えるための機能を、一対の内蓋の存在に依存する、即ち、一対の内蓋の受け支えに依存する方法をとるものとした。
【発明の効果】
【００１６】
上押えと下押えとを対向するかたちに固定する連結方法によらず、下押えに対し、「上押えだけを回転させ得るものにした」ことで、下押えを円形にする必要がなくなり、封緘具の嵩張りを小さく、そして材料の無駄を省くことができるものになった。
【００１７】
下押えを３６０度に延びる円形にする場合、長さ幅（一対の外蓋の内側を渡し押える長さ、即ち、円の径）を僅かでも長いものにすることで、大きな無駄が生じてしまうものであったが、ストッパーを設けることで下押えは任意の形状が取れるものとなり、下押えが効果的に働くための充分な長さ幅が設定できるものになった。
【００１８】
下押えに対し、上押えだけを回転させ得るものにしたことで、付け外し操作がスムーズに行えるものになった。
【００１９】
下押えは、回転しない、あるいは回転させないものとなり、下押えが内蓋の縁に突っ掛かって開封できないような事態は生じないものとなった。
【００２０】
段ボール箱の大きさはまちまちで、外蓋の厚みもそれぞれ違う。それぞれの厚みに合う封緘具を手許に用意しておくことは難しい。
バネ機能をもたせることで、「外蓋の厚みに多少の違いがあっても使用できるもの」になり、実用に適した封緘具を得ることができた。
【００２１】
一定の厚みであるはずの外蓋でも、紙質や紙の歪みあるいは湿気等により、封緘具の挟み付けが必ずしもスムーズにできることではない。きつい状態であったり、緩い状態であったりもする。バネ機能をもつことで、然様に微妙な問題にも対応できるものになった。
【００２２】
一対の外蓋が下方に落ち込まないよう押える機能を、一対の内蓋の受け支えに依存する方法をとったことで、上押えを小さなものにすることができ、荷扱いに適うもの、あるいは荷扱いの支障を軽微にするものになった。
【図面の簡単な説明】
【００２３】
【図１】本発明の封緘具である。
【図２】図１の封緘具である。
【図３】図１の封緘具である。
【図４】図１の封緘具について操作過程を示した図である。
【図５】図１に使用した下押え部材である。
【図６】図１に使用したバネ部材である。
【図７】バネ機能を説明する図である。
【発明を実施するための形態】
【００２４】
実施例を説明する上で、図を見たままの状態で、上、下、縦、横、左、右、向こう、手前、内、外、裏、表の意味を使い分ける。
段ボール箱は、幅面と長さ面がある。主に幅面を見る方向から見たかたちで表現する。
本書では、一対の外蓋を左側と右側、即ち、左右に見たかたちで表現する。また、一対の外蓋の合せ目を縦筋に見たかたちで表現する。
【００２５】
封緘状態に於ける封緘具を、段ボール箱の幅面(Ｃ１)を見る方向から見た側を長さ側と云い、同方向から見る左右に延びる幅を長さ幅と云う。長さ側の側面を長さ側側面と云う。
封緘状態に於ける封緘具を、段ボール箱の長さ面(Ｃ２)を見る方向から見た側を幅側と云う。幅側の側面を幅側側面と云う。
封緘状態にない封緘具を見る表現に於いても、封緘状態にある封緘具に見立てて、同じく、長さ側、長さ幅、長さ側側面、幅側、幅側側面と云う。
【００２６】
以下、図を通して説明する。
【００２７】
図１、２、３を通して、本封緘具の基本的な形態を説明する。
本封緘具は、支柱を介して、下押えと上押えとが連結されて成るものである。
本封緘具は、上押えと下押えが相対的に回転するかたちで連結されて成るものとした。
本封緘具は、側面から見るかたちに於いて、図１(３)、図２(２)に見るように、上押えと下押えとで成る挟み口が、支柱の左方または右方の片方に向いた形態を成すものである。
【００２８】
図１(１)は、上押えが横方（右方）に向いている、そして横方に向いた挟み口を成している。
図２(１)は、上押えは縦方（下方）に向いている、そして縦方に向いた挟み口を成している。
斯様に、下押えに対し、上押えの向く方向を変えることができる。即ち、挟み口の向く方向を変えることができるものである。
【００２９】
従来の封緘具、例えば特許文献１の図２に見るものは、上押えの向く方向を変えるため、上押えを回転させるとき、連動して下押えも回転してしまう、あるいはずり動いてしまう、と云うものである。
本発明で求めたことは、下押えは終始、外蓋に取り付けたままの体勢に置き、上押えだけを回転させることで蓋の開け閉めができるようにする、と云うものである。
そこで、上押えを回転させても、下押えは回転しないよう、下押えに回転を阻止するストッパーをもつものとした。
ストッパーは、一対の外蓋の合わせ目の隙間に沿って差し挟むかたちのものとし、封緘する際あるいは開封する際に、上押えを回転させても、ストッパーが一対の外蓋の合せ目に突っ掛かって、下押えは回転せず、上押えだけが回転するように仕掛けた、と云うものである。
ストッパーを一対の外蓋の合せ目に仕掛ける方法は、ストッパーを外蓋に固定しないので、開封する際に、上押えを右回しにしても左回しにしても支障なく開封することができる。
因みに、ストッパーを左右の外蓋のどちらかに固定する方法を取る場合には、開封する際に、ストッパーを固定した外蓋側に、上押えを戻すことが求められる。
【００３０】
図１を説明する。
図１は、ストッパー(Ｄ３１)を付加した本発明の封緘具である。
図１は、下押えと上押えとをバネ部材（図６参照）を以って連結した封緘具である。
図１(１)は、斜視図である。図１(２)は、幅側側面を見た（Ａ方向から見た）側面図である。図１(３)は、長さ側側面を見た（Ｂ方向から見た）側面図である。
【００３１】
本封緘具は、下押えの形態を基準にして見たとき、幅側の幅（Ａ方向から見る横幅）よりも、長さ側の長さ幅（Ｂ方向から見る長さ）の方が長い形状に成したものである。
因みに、長方形状にした下押えの中間を円形にしているのは、下押えの裏側を回転するバネ部材の下辺の長さに見合う径とするために成したかたちである（図３参照）。
【００３２】
図２を説明する。
図２は、図１の状態から上押えを回転させ、図２の状態にした様子を示した図である。
図２(１)は、斜視図である。図２(２)は、幅側側面を見た（Ａ方向から見た）側面図である。図２(３)は、長さ側側面を見た（Ｂ方向から見た）側面図である。
【００３３】
因みに、図１は、封緘する初動の操作に於ける、片方の外蓋に取り付ける体勢を示した図である。図２は、封緘状態に於ける体勢を示した図である。
【００３４】
図３を説明する。
図３は、図１に示した本封緘具の裏側を見た斜視図である。
バネ部材の下辺(Ｄ４３)の在り様について示した図である。
図１に示した本封緘具は、下押えに対し、上押えが支柱（縦辺）を軸にして回転するかたちに連結したものである。下押えと上押えとを連結するバネ部材の下辺の先端は、下押えに接しているだけであって、下押えに固定しているものではない。
【００３５】
図４を説明する。
図４(１)(３)は、図１に示した封緘具を以って、段ボール箱を封緘する操作の過程を示したものである。
図４(２)は図４(１)の状態、図４(４)は図４(３)の状態を、段ボール箱の幅面(Ｃ１)を見る方向から見た部分図である。
図４(１)は、片方（右方）の外蓋に取り付けた様子を示した図である。この状態に於いては、下押えだけが相手方（左方）に差し出されるものである。
差し出された下押えの上に、もう片方（左方）の外蓋を折り重ね、一対の外蓋を平らな状態にたたみ合わせた上で、上押えを回転させ、一対の外蓋を連結して封緘状態にする。
上押えを回転させたとき、バネ部材の下辺は下押えの裏側（下側）をスライドする。
図４(３)は、封緘状態を示した図である、即ち、上押えを回転させ、上押えを一対の外蓋の上に掛け渡した状態を示した図である。
因みに、本書に於いて「下押えに対し、上押えだけが回転する」とした表現は、「下押えは回転しない、あるいは回転させない」という意味であって、上押えとバネ部材が固定された状態に連結されているならば、上押えとともにバネ部材も回転すると云う意味である。
因みに、本書で示した封緘具の上押えとバネ部材は、固定状態に連結されて成るものである。
図４(５)については、後段で説明する。
【００３６】
図５を説明する。
図５は、図１に使用した下押え（下押え部材）を説明する図である。
図５(１)は、斜視図である。図５(２)は、幅側側面を見た（Ａ方向から見た）側面図である。図５(３)は、長さ側側面を見た（Ｂ方向から見た）側面図である。
図５(１)(２)(３)で分かるように、下押えの内側に、一対の外蓋の合わせ目の隙間に沿って差し挟む突起、即ち、ストッパー(Ｄ３１)を設けた。
【００３７】
因みに、ストッパーとする突起の高さは、対象とする外蓋の厚みとの関係を勘案し、高すぎず低すぎずに設定することが望ましい。突起の厚みはできるだけ薄く、そして折れ曲がらないほどの硬いものが望ましい。更に、一対の外蓋の合せ目に差し挟んだ状態に於いて、上押えの回転に支障が及ばない高さであることが肝要である。
【００３８】
ストッパーに求められる機能は、一対の外蓋の内側を横渡しに押える下押えの長さ方向（長さ幅が延びる方向）が、一対の外蓋の合せ目（縦筋）に交叉する方向に向けられたまま、その状態がずり動かないようにすることである。このことは封緘具としての生命に係ることであるから、ずり動いてしまうような半端なものにならないように構成することが肝要である。
【００３９】
図６を説明する。
図６は、図１に使用したバネ部材ある。
図６(１)は、斜視図である。図６(２)は、側面図である。図６(３)は、平面図である。図６(４)は、正面図である。
バネ部材は、１本の線材を折り曲げて成したものである。実施例では、＃１２（2.6〜2.5ミリ径）の金属線を使用し、側面から見るかたちとして、図６(２)に示すように上辺(Ｄ４１)、縦辺（Ｄ４２）、下辺(Ｄ４３)の概ね３辺で成るものとした。
上辺は、上押えと連結する部分である。縦辺は、支柱を兼ねる部分である。下辺は、下押えを支持する部分であると同時にバネを成す部分である。
【００４０】
図６に示したバネ部材は、下辺(Ｄ４３)に左右にくねるかたちを作った。このくねりは、バネを生み易く、あるいはバネを働き易くするため、あるいはバネを柔らかくするためである。
尚、下辺(Ｄ４３)の先端（下押えに接する部分)は、バネ部材が平衡を保つかたち、同時に、下押えの裏側面をスライドするかたちに成したものである。
【００４１】
図７を説明する。
図７は、図１(３)の透視図である、即ち、支柱を兼ねたバネ部材を以って、上押えと下押えとを連結した様子を示す図である。
下押え(Ｄ３)の下側に張り出した部分が、バネとなって働く部分である。
外蓋に挟み付けたとき、上押え(Ｄ１)と下押え(Ｄ３)との間隔(Ｗ１)が押し広げられる、即ち、下押えと上押えとの間に介在する部分の丈幅(Ｗ１)が延び、その分、下押えの下方に突き出た部分の丈幅(Ｗ２)が短くなるかたちでバネが働く。
【００４２】
本封緘具は、図４で説明したように、先ず、片方の外蓋に取り付け、次いで一対の外蓋をたたみ合わせた後、上押えを回転させて封緘状態を得るものである。
即ち、付け外しに於いて、回転操作を伴うものである。上押えを回転させたとき、上押えとともにバネの働く方向も変わることが求められる。
片方の外蓋に取り付けた段階では、バネ機能は片方の外蓋に働き、封緘状態にあるときは、バネ機能は一対の外蓋の両方に働くことが求められる。
【００４３】
バネ部材は、側面から見るかたちに於いて、支柱を兼ねる縦辺の左方または右方の片方に向いた挟み口を成すものにした。
このかたちは、片方の外蓋に取り付いた状態にあるときは、片方の外蓋に集中的にバネが働き、一対の外蓋を封緘している状態にあるときは、一対の外蓋の両方にバネが働く。即ち、上押えを回転させる操作を伴う封緘具の特性に適うかたちとして、方向をもった挟み口を成したバネ部材を以って、下押えと上押えとを連結するものである。
【００４４】
本書では、使用していないときの状態として、図１(２)(３)、図２(２)(３)に示すように、下押えと上押えとが一定の間隔をとったかたちで表現しているが、バネ部材の縦辺は、下押えを上下に通うかたちで取り付けていること、また、バネ部材の下辺は、下押えに固定していないことから、下押えと上押えとの間隔は、必ずしも一定の間隔を保っているものではなく、下押えは遊び（動きの余裕）をもっている。
このことによって、封緘する際の挟み付けがし易く便利に使用できる、即ち、図４(１)の操作に於いて便利である。
【００４５】
以下、バネ機能、あるいはバネ部材について補足説明をする。
【００４６】
云うまでもないが、本発明で云うバネ機能は、挟み口が押し広げられる作用によって生ずる応力あるいは反発力を以って、自発的あるいは自動的に調整する機能である。
【００４７】
本書では、一例として、図６(２)に示したように側面から見るかたちに於いて、上辺、縦辺、下辺の概ね３辺を有して成るバネ部材を説明した。
図６に示すバネ部材は、バネの働きを良くするためのかたちとして、下辺について左右に迂曲するかたちを作っているものであるが、螺旋状に渦巻いたかたちをつくるなど、任意に設定するバネであって良い。
また、下押えの径を大きく取る場合であれば、下辺に迂曲するかたちや渦巻いたかたちを作るまでもなく、斜め真っ直ぐに延びるものであっても良い。
因みに、図６に示したバネ部材は、図１に示した封緘具のかたちに対応して成した一例である。
【００４８】
バネ部材は、封緘具に組み付けた状態に於いて、縦辺や下辺が過剰に下方に出っ張らないかたちを取ることが望ましい。
そのかたちとして、図６に示すように下辺のバネ機能を平たく迂曲するかたちにすると良い。下押えの下方に出っ張る部分は、段ボール箱の中に入っているものを損傷させる恐れがあるので、出っ張りを覆うなどの配慮をするのも良い。
【００４９】
バネ部材は、一対の外蓋が浮き上がらないよう安定した状態に連結するに足るバネの強さ、あるいは付け外しする上でのバネの柔らかさ、あるいはどの程度の厚み（外蓋の厚み）の違いに対応するものとするかなどを考慮して成すことが肝要である。
【００５０】
図１に示した封緘具に見る上押えは、バネ部材の上辺に上押えとする板状部材を組み付けて成したものであるが、バネ部材の上辺を平たく折り曲げて、即ち、面を成すかたちに折り曲げて、例えば、図６に示した下辺のように、左右に迂曲するかたちに折り曲げるなどして、「バネ部材の上辺が上押えを兼ねる」ものにしても良い。
【００５１】
バネ部材について、殊に配慮すべき点について説明する。
挟み口は、やや押し広げられるものの、全体の体勢が崩れることなくバネが働くことが肝要である。
バネは、下辺の「しなり」で対応できるものにすることが望ましい。
そのためのかたちとして、下辺を「適度にしなり易く」あるいは「バネとして働き易く」するためのかたちとして、図６(１)(３)に見るように、下辺に迂曲するかたちを成すなどの措置を取ると良い。
【００５２】
バネ部材は、挟み付けた状態に於いて、縦辺が反り曲がってしまうことのないよう、あるいは下辺、上辺に折り分けた折り曲がりが戻ってしまうことのないよう、あるいは上押えを回転させる操作をしたとき、縦辺がねじれを起こしてしまうことのないよう、使用する材料、あるいは素材に配慮することが求められる。
【００５３】
実施例では、バネ部材の素材として＃１２（2.6〜2.5ミリ径）の金属線を使用した。外蓋の厚みの違いが１〜３ミリ程度であれば対応できるものとなった。
バネ部材に使用する材料、材質、太さなどは、任意に決めて良い。
【００５４】
以下は、荷扱いに適うためにとった方法を説明する。
【００５５】
本書で示した封緘具は、図４(４)のかたちを見て分かるように、もしも、内蓋が存在しない、即ち、内蓋の受け支えが無いと仮定した状態に於いて、上方から下押しする作用(Ｐ)を受けたとき、図４(５)に見るように、一対の外蓋と封緘具は、押されるまま下方に（箱の内側に）落ち込んでしまう形態を成すものである。
即ち、図４(４)に見るように、下押え(Ｄ３)については、一対の外蓋が上方に（外側に）浮き上がらないよう押えるに足る長さ幅（以下、長い長さ幅とも云う）をもつが、上押え(Ｄ１)については、一対の外蓋が下方に（箱の内側に）落ち込まないよう押えるには足りない長さ幅（以下、短い長さ幅とも云う）を成す、と云うものである。
云いかえれば、長い長さ幅の下押えと、短い長さ幅の上押えとで成す「奥行きの浅い挟み口」を成すものである。
本書で示した封緘具は、一対の外蓋が下方に落ち込まないよう押える機能は、一対の内蓋の受け支えに依存する、とした方法をとったものである。
【００５６】
この方法をとることによって、上押えの長さ幅を「短い長さ幅」にすることができる、即ち、上押えを小さくすることができ、封緘した段ボール箱の上に他の箱を上積みする場合に、上押えの存在自体の出っ張りが引っ掛かる、あるいは突っ掛かる、あるいは上積みした箱が安定しないなど、荷扱いする上での支障を軽微にすることができるものにした。
【００５７】
下押えを「長い長さ幅」にすることによって、封緘具を内蓋に絡ませることなく封緘できるものとなり、段ボール箱の開口部の中央寄りの位置、即ち、一対の内蓋が向い合う間隔の内に取り付けることでの封緘ができるものにした。
段ボール箱の外蓋は、緩やかに撓む（たわむ）性質をもっている。時間の経過による撓みもある。上積される他の箱の荷重によって生ずる撓みもある。
本発明は上押えを小さく、薄くして、その撓みの中に上押えの存在が埋没することによって、荷扱いの邪魔にならないよう、あるいは支障にならないよう、最も撓みが大きくなる開口部の中央位置に取り付け得るもの、としているものでもある。
【００５８】
奥行きの浅い挟み口を以って封緘する方法をとることによって、奥行きの深い挟み口を以って局所的にロックする従来の封緘方法と比べて、段ボール箱の外蓋にとっても封緘具にとっても、無理が掛からないものにした。
例えて云うならば、過分な重い箱が上積みされたときには、図４(５)に示すように、封緘具は外蓋から逃げる（外れる）ことができる。外蓋も損傷する（あるいは折れる）ことなく封緘具から開放される、とするかたちを取ったものである。
本封緘具は、一対の外蓋が下方に落ち込まないよう押える機能について、一対の内蓋の受け支えに依存するものとしていることから、実際には、一対の外蓋が、図４(５)に示す如くに落ち込むことはないが、封緘具と外蓋との関係に於いて、図４(５)に示すような遊び（動きの余裕）をもつものであることを説明するものである。
【００５９】
以下は、全体的な補足事項である。
【００６０】
図５に示したストッパーは、図１に示した下押えのかたちに対応して成した一例であって、本発明で云うストッパーは、その形態を限定するものではない。封緘具の様態、殊に、下押えの形状が変われば、ストッパーのあり方も変るものになる、と云うことである。
ストッパーは、本書で示したかたちに限らず、例えば、本書で示した如き封緘具を縦方向に２連に繋ぐかたちにすれば、２本の支柱をもつことになり、支柱自体がストッパーになる。あるいは外蓋の縁の断面にある穴目に差し込むかたちを構成して、ストッパーとするのも良い。
【００６１】
バネ部材は、側面から見るかたちに於いて、上辺、縦辺、下辺の３辺で成るかたちに固執する必要はない。板バネを使用するなどのものであっても良い。即ち、バネ部材の形態は、任意に決めて良い。
【００６２】
本発明は、段ボール箱を主たる対象として、段ボール箱を念頭に説明した内容になっているが、段ボール箱以外の箱にも適用あるいは使用できるものである。
本書では、それらの箱を包装箱と総称した。
【００６３】
本封緘具は、全体に於いて材料、材質について限定するものではない。尚、必要な機能を損なわない限り、形状、輪郭、デザイン、大きさ、形態など任意に決めて良い。
【００６４】
本発明は、全体の図を通して発明の全容を説明しているものであって、個々の図で説明する技術内容によって、請求項に記載する技術内容は限定されるものではない。
【００６５】
本発明の封緘具は、ストッパーをもったこと、バネ機能をもったこと、荷扱いに適う形態に成したこと、のそれぞれが相乗して、実用性を増したものになった。
「ストッパーをもつ」とする発明、更には「バネ機能をもつ」とする発明、並びに「荷扱いに適う」とする発明のそれぞれは、従来の封緘具にも適用できるものである。
【産業上の利用可能性】
【００６６】
上押えの回転に連動して、下押えが回転しないようストッパーを設けたことで、操作性が良いものになり、使い易いものになった。その上、外蓋の厚みに多少の違いがあっても対応できる、あるいは荷扱いに適うものにしたことなど、便利に使用できるものになった。蓋の開け閉めを繰り返す使い方にも便利に対応し、物品の保管、管理、物品の移送など家庭用から業務用まで広く対応することができる。
【符号の説明】
【００６７】
包装箱
Ｃ１    幅面
Ｃ２    長さ面
Ｃ３    内蓋
Ｃ４    外蓋
封緘具
Ｄ１    上押え
Ｄ２    支柱
Ｄ３    下押え
Ｄ３１  ストッパー
Ｄ４    バネ部材
バネ部材
Ｄ４１  上辺
Ｄ４２  縦辺
Ｄ４３  下辺
【要約】
【課題】上押えを回転させても下押えは回転しないよう対策することを主課題とする。更に、２つの課題を加える。１つは、外蓋の厚みに多少の違いがあっても対応できるものにすること。もう１つは、荷扱いに適うものにすることである。
【解決手段】上押えと下押えは、相対的に回転するかたちに連結するものとする。外蓋に付け外しする操作に於いては、上押えを回転させても下押えが回転しないよう、ストッパーとなる機能あるいは形態をもつものにした。外蓋の厚みに多少の違いがあっても対応するための手段としては、下押えと上押えの間に介在する部分の支柱の丈幅が調整されるバネ機能をもつものとした。荷扱いに適うものにするための手段としては、上押えの大きさを出来るだけ小さなものにすることに着眼し、一対の外蓋が箱の内側に落ち込まないよう押える機能を、一対の内蓋の受け支えに依存する方法をとるものとした。
【選択図】  図１【図１】
0005807818.tif 000002
【図２】
0005807818.tif 000003
【図３】
0005807818.tif 000004
【図４】
0005807818.tif 000005
【図５】
0005807818.tif 000006
【図６】
0005807818.tif 000007
【図７】
0005807818.tif 000008